(57)【要約】  ハンドオーバプロセスにおけるサービス処理方法および装置、端末、ネットワーク機器を提供し、当該方法は、ソースＲＡＮノードが、第１サービスのサービス情報を取得することであって、前記第１サービスは、前記ソースＲＡＮノード側で端末によって開始されたサービスであることと、前記ソースＲＡＮノードが、ターゲットＲＡＮノードを決定し、ハンドオーバ要求メッセージを前記ターゲットＲＡＮノードに送信することであって、前記ハンドオーバ要求メッセージは前記第１サービスのサービス情報を搬送し、前記第１サービスのサービス情報は、前記ターゲットＲＡＮノードが前記第１サービスをサポートするかどうかを決定するために使用される。
2021522761.tif 000002
【特許請求の範囲】
【請求項１】
ハンドオーバプロセスにおけるサービス処理方法であって、
ソース無線アクセスネットワーク（ＲＡＮ）ノードが、第１サービスのサービス情報を取得することであって、前記第１サービスは、前記ソースＲＡＮノード側で端末によって開始されたサービスであることと、
前記ソースＲＡＮノードが、ターゲットＲＡＮノードを決定し、ハンドオーバ要求メッセージを前記ターゲットＲＡＮノードに送信することであって、前記ハンドオーバ要求メッセージは前記第１サービスのサービス情報を搬送し、および前記第１サービスのサービス情報は、前記ターゲットＲＡＮノードが、前記ターゲットＲＡＮノードが前記第１サービスをサポートするかどうかを判断するために使用されることと、を含む、前記ハンドオーバプロセスにおけるサービス処理方法。
【請求項２】
前記方法は、
前記ターゲットアクセスネットワークノードが前記第１サービスをサポートする場合、前記ソースＲＡＮノードが、前記ターゲットＲＡＮノードによって送信されたハンドオーバ受け入れメッセージを受信することをさらに含む、
請求項１に記載のハンドオーバプロセスにおけるサービス処理方法。
【請求項３】
前記方法は、
前記ターゲットＲＡＮノードが前記第１サービスをサポートしない場合、前記ソースＲＡＮノードが、前記ターゲットＲＡＮノードによって送信されたハンドオーバ拒否メッセージを受信することをさらに含む、
請求項１または２に記載のハンドオーバプロセスにおけるサービス処理方法。
【請求項４】
前記ハンドオーバ拒否メッセージは第１指示情報を搬送し、前記第１指示情報は、ハンドオーバ拒否の原因が、前記ターゲットＲＡＮノードが前記第１サービスをサポートしないことであることを指示する、
請求項３に記載のハンドオーバプロセスにおけるサービス処理方法。
【請求項５】
前記方法は、
前記ソースＲＡＮノードが、１つまたは複数の隣接するＲＡＮノードの第１情報を取得することであって、前記第１情報は、前記１つまたは複数の隣接するＲＡＮノードが前記第１サービスをサポートするかどうかを指示することと、
前記ソースＲＡＮノードが、前記第１サービスをサポートする、隣接するＲＡＮノードを候補ターゲットＲＡＮノードとして決定することとをさらに含み、
前記ソースＲＡＮノードが、ターゲットＲＡＮノードを決定することは、
前記ソースＲＡＮノードが、前記候補ターゲットＲＡＮノードから前記ターゲットＲＡＮノードを選択することを含む、
請求項１ないし４のいずれか一項に記載のハンドオーバプロセスにおけるサービス処理方法。
【請求項６】
前記ソースＲＡＮノードが、第１サービスのサービス情報を取得することは、
前記ソースＲＡＮノードが、コアネットワークノードから前記第１サービスのサービス情報を取得することを含む、
請求項１ないし５のいずれか一項に記載のハンドオーバプロセスにおけるサービス処理方法。
【請求項７】
前記ソースＲＡＮノードが、前記コアネットワークノードから前記第１サービスのサービス情報を取得することは、
前記ソースＲＡＮノードが、前記コアネットワークノードによって送信された第１要求メッセージを受信することを含み、前記第１要求メッセージは前記第１サービスのサービス情報を搬送し、前記第１要求メッセージは、前記ソースＲＡＮノード側での第１サービスの第１接続の確立を要求するために使用される、
請求項６に記載のハンドオーバプロセスにおけるサービス処理方法。
【請求項８】
前記ソースＲＡＮノードが、前記第１サービスのサービス情報を取得することは、
前記ソースＲＡＮノードが、前記端末から前記第１サービスのサービス情報を取得することを含む、
請求項１ないし５のいずれか一項に記載のハンドオーバプロセスにおけるサービス処理方法。
【請求項９】
前記ソースＲＡＮノードが、前記端末から前記第１サービスのサービス情報を取得することは、
前記ソースＲＡＮノードが、前記端末によって送信された第２要求メッセージを受信することを含み、前記第２要求メッセージは前記第１サービスのサービス情報を搬送し、前記第２要求メッセージは、前記第１サービスの確立を要求するために使用される、
請求項８に記載のハンドオーバプロセスにおけるサービス処理方法。
【請求項１０】
前記ソースＲＡＮノードが、前記端末から前記第１サービスのサービス情報を取得することは、
前記ソースＲＡＮノードが、前記端末によって送信された測定報告を受信することを含み、前記測定報告は前記第１サービスのサービス情報を搬送する、
請求項８に記載のハンドオーバプロセスにおけるサービス処理方法。
【請求項１１】
前記ソースＲＡＮノードが、前記端末から前記第１サービスのサービス情報を取得することは、
前記ソースＲＡＮノードが、前記端末に対してサービス固有の測定報告イベントを構成することと、
前記ソースＲＡＮノードが、前記端末によって送信されたサービス固有の測定報告イベントを受信することであって、前記サービス固有の測定報告イベントは、ハンドオーバする必要がある前記第１サービスに関連付けられることと、を含む、
請求項８に記載のハンドオーバプロセスにおけるサービス処理方法。
【請求項１２】
ハンドオーバプロセスにおけるサービス処理方法であって、
端末が、ターゲットセルが第１サービスをサポートするかどうかを決定することであって、前記第１サービスは、ソース無線アクセスネットワーク（ＲＡＮ）ノード側で前記端末によって開始されたサービスであることと、
前記ターゲットセルが前記第１サービスをサポートする場合、前記端末が第１測定報告を前記ソースＲＡＮノードに送信することであって、前記第１測定報告は前記ターゲットセルの測定結果を搬送することと、
前記ターゲットセルが前記第１サービスをサポートしない場合、前記端末は、第２測定報告を前記ソースＲＡＮノードに送信することであって、前記第２測定報告は、前記ターゲットセルの測定結果を搬送しないことと、を含む、前記ハンドオーバプロセスにおけるサービス処理方法。
【請求項１３】
前記方法は、
前記端末が、前記ターゲットセルが測定イベントを満たすかどうかを決定することをさらに含み、
前記端末が、前記ターゲットセルが前記第１サービスをサポートするかどうかを決定することは、
前記ターゲットセルが前記測定イベントを満たすと決定した場合、前記端末は、前記ターゲットセルが第１サービスをサポートするかどうかを決定することを含む、
請求項１２に記載のハンドオーバプロセスにおけるサービス処理方法。
【請求項１４】
前記方法は、
前記端末が、前記ソースＲＡＮノードによって送信された第２情報を受信することをさらに含み、前記第２情報は、１つまたは複数の隣接セルが前記第１サービスをサポートするかどうかを指示し、前記１つまたは複数の隣接セルは前記ターゲットセルを含む、
請求項１２または１３に記載のハンドオーバプロセスにおけるサービス処理方法。
【請求項１５】
前記第２情報は、放送メッセージまたは専用シグナリングに搬送される、
請求項１４に記載のハンドオーバプロセスにおけるサービス処理方法。
【請求項１６】
前記方法は、
前記端末が、１つまたは複数の隣接セルのシステム情報を取得し、前記１つまたは複数の隣接セルのシステム情報に基づいて、前記１つまたは複数の隣接セルが前記第１サービスをサポートするかどうかを決定することをさらに含み、前記１つまたは複数の隣接セルは前記ターゲットセルを含む、
請求項１２または１３に記載のハンドオーバプロセスにおけるサービス処理方法。
【請求項１７】
前記方法は、
前記端末が、前記第１サービスをサポートする隣接セルに対して測定することと、
前記端末が、前記第１サービスをサポートしない隣接セルに対して測定しないことと、をさらに含む、
請求項１２ないし１６のいずれか一項に記載のハンドオーバプロセスにおけるサービス処理方法。
【請求項１８】
ハンドオーバプロセスにおけるサービス処理装置であって、
第１サービスのサービス情報を取得するように構成される取得ユニットであって、前記第１サービスは、前記ソース無線アクセスネットワーク（ＲＡＮ）ノード側で端末によって開始されたサービスである取得ユニットと、
ターゲットＲＡＮノードを決定するように構成される決定ユニットと、
ハンドオーバ要求メッセージを前記ターゲットＲＡＮノードに送信するように構成される送信ユニットであって、前記ハンドオーバ要求メッセージは前記第１サービスのサービス情報を搬送し、前記第１サービスのサービス情報は、前記ターゲットＲＡＮノードが、前記ターゲットＲＡＮノードが前記第１サービスをサポートするかどうかを判断するために使用される送信ユニットと、を備える、前記ハンドオーバプロセスにおけるサービス処理装置。
【請求項１９】
前記装置は、
前記ターゲットＲＡＮノードによって送信されたハンドオーバ受け入れメッセージを受信するように構成される受信ユニットをさらに備え、前記ターゲットＲＡＮノードは前記第１サービスをサポートする、
請求項１８に記載のハンドオーバプロセスにおけるサービス処理装置。
【請求項２０】
前記装置は、
前記ターゲットＲＡＮノードによって送信されたハンドオーバ拒否メッセージを受信するように構成される受信ユニットをさらに備え、前記ターゲットＲＡＮノードは前記第１サービスをサポートしない、
請求項１８または１９に記載のハンドオーバプロセスにおけるサービス処理装置。
【請求項２１】
前記ハンドオーバ拒否メッセージは第１指示情報を搬送し、前記第１指示情報は、ハンドオーバ拒否の原因が、前記ターゲットＲＡＮノードが前記第１サービスをサポートしないことであることを指示する、
請求項２０に記載のハンドオーバプロセスにおけるサービス処理装置。
【請求項２２】
前記取得ユニットは、さらに、１つまたは複数の隣接するＲＡＮノードの第１情報を取得し、前記第１サービスをサポートする、隣接するＲＡＮノードを候補ターゲットＲＡＮノードとして決定するように構成され、前記第１情報は、前記１つまたは複数の隣接するＲＡＮノードが前記第１サービスをサポートするかどうかを指示し、
前記決定ユニットは、さらに、前記候補ターゲットＲＡＮノードから前記ターゲットＲＡＮノードを選択するように構成される、
請求項１８ないし２１のいずれか一項に記載のハンドオーバプロセスにおけるサービス処理装置。
【請求項２３】
前記取得ユニットは、さらに、コアネットワークノードから前記第１サービスのサービス情報を取得するように構成される、
請求項１８ないし２２のいずれか一項に記載のハンドオーバプロセスにおけるサービス処理装置。
【請求項２４】
前記取得ユニットは、前記コアネットワークノードによって送信された第１要求メッセージを受信するように構成され、前記第１要求メッセージは前記第１サービスのサービス情報を搬送し、前記第１要求メッセージは、前記ソースＲＡＮノード側での第１サービスの第１接続の確立を要求するために使用される、
請求項２３に記載のハンドオーバプロセスにおけるサービス処理装置。
【請求項２５】
前記取得ユニットは、さらに、前記端末から前記第１サービスのサービス情報を取得するように構成される、
請求項１８ないし２２のいずれか一項に記載のハンドオーバプロセスにおけるサービス処理装置。
【請求項２６】
前記取得ユニットは、前記端末によって送信された第２要求メッセージを受信するように構成され、前記第２要求メッセージは前記第１サービスのサービス情報を搬送し、前記第２要求メッセージは、前記第１サービスの確立を要求するために使用される、
請求項２５に記載のハンドオーバプロセスにおけるサービス処理装置。
【請求項２７】
前記取得ユニットは、前記端末によって送信された測定報告を受信するように構成され、前記測定報告は前記第１サービスのサービス情報を搬送する、
請求項２５に記載のハンドオーバプロセスにおけるサービス処理装置。
【請求項２８】
前記装置は、
前記端末に対してサービス固有の測定報告イベントを構成するように構成される構成ユニットをさらに備え、
前記取得ユニットは、さらに、前記端末によって送信されたサービス固有の測定報告イベントを受信するように構成され、前記サービス固有の測定報告イベントは、ハンドオーバする必要がある前記第１サービスに関連付けられる、
請求項２５に記載のハンドオーバプロセスにおけるサービス処理装置。
【請求項２９】
ハンドオーバプロセスにおけるサービス処理装置であって、
ターゲットセルが第１サービスをサポートするかどうかを決定するように構成される決定ユニットであって、前記第１サービスは、ソース無線アクセスネットワーク（ＲＡＮ）ノード側で前記端末によって開始されたサービスである決定ユニットと、
前記ターゲットセルが前記第１サービスをサポートする場合、第１測定報告を前記ソースＲＡＮノードに送信し、前記第１測定報告は前記ターゲットセルの測定結果を搬送し、前記ターゲットセルが前記第１サービスをサポートしない場合、第２測定報告を前記ソースＲＡＮノードに送信し、前記第２測定報告は前記ターゲットセルの測定結果を搬送しないように構成される送信ユニットとを備える、前記ハンドオーバプロセスにおけるサービス処理装置。
【請求項３０】
前記決定ユニットは、さらに、前記ターゲットセルが測定イベントを満たすかどうかを決定し、前記ターゲットセルが前記測定イベントを満たす場合、前記ターゲットセルが前記第１サービスをサポートするかどうかを決定するように構成される、
請求項２９に記載のハンドオーバプロセスにおけるサービス処理装置。
【請求項３１】
前記装置は、
前記ソースＲＡＮノードによって送信された第２情報を受信するように構成される受信ユニットをさらに備え、前記第２情報は、１つまたは複数の隣接セルが前記第１サービスをサポートするかどうかを指示し、前記１つまたは複数の隣接セルは前記ターゲットセルを含む、
請求項２９または３０に記載のハンドオーバプロセスにおけるサービス処理装置。
【請求項３２】
前記第２情報は、放送メッセージまたは専用シグナリングに搬送される、
請求項３１に記載のハンドオーバプロセスにおけるサービス処理装置。
【請求項３３】
前記装置は、
１つまたは複数の隣接セルのシステム情報を取得し、前記１つまたは複数の隣接セルのシステム情報に基づいて、前記１つまたは複数の隣接セルが前記第１サービスをサポートするかどうかを決定するように構成される取得ユニットをさらに備え、前記１つまたは複数の隣接セルは前記ターゲットセルを含む、
請求項２９または３０に記載のハンドオーバプロセスにおけるサービス処理装置。
【請求項３４】
前記装置は、
前記第１サービスをサポートする隣接セルに対して測定し、前記第１サービスをサポートしない隣接セルに対して測定しないように構成される測定ユニットをさらに備える、
請求項２９ないし３３のいずれか一項に記載のハンドオーバプロセスにおけるサービス処理装置。
【請求項３５】
端末であって、
１つまたは複数のコンピュータプログラムを記憶するメモリと、
請求項１ないし１１のいずれか一項に記載の方法を実行するために、前記メモリ内の１つまたは複数のコンピュータプログラムを呼び出して実行するように構成されるプロセッサと、を備える、前記端末。
【請求項３６】
ネットワーク機器であって、
１つまたは複数のコンピュータプログラムを記憶するメモリと、
請求項１２ないし１７のいずれか一項に記載の方法を実行するために、前記メモリ内の１つまたは複数のコンピュータプログラムを呼び出して実行するように構成されるプロセッサと、を備える、前記ネットワーク機器。
【請求項３７】
チップであって、
メモリに記憶された１つまたは複数のコンピュータプログラムを呼び出して実行して、使得前記チップが実装された機器が、請求項１ないし１１のいずれか一項に記載の方法を実行するように構成されるプロセッサを備える、前記チップ。
【請求項３８】
チップであって、
メモリに記憶された１つまたは複数のコンピュータプログラムを呼び出して実行して、使得前記チップが実装された機器が、請求項１２ないし１７のいずれか一項に記載の方法を実行するように構成されるプロセッサを備える、前記チップ。
【請求項３９】
コンピュータプログラムを記憶するためのコンピュータ可読記憶媒体であって、
プロセッサが前記コンピュータプログラムを実行すると、プロセッサが請求項１ないし１１のいずれか一項に記載の方法を実行するようにする、前記コンピュータ可読記憶媒体。
【請求項４０】
コンピュータプログラムを記憶するためのコンピュータ可読記憶媒体であって、
プロセッサが前記コンピュータプログラムを実行すると、プロセッサが請求項１２ないし１７のいずれか一項に記載の方法を実行するようにする、前記コンピュータ可読記憶媒体。
【請求項４１】
コンピュータプログラム製品であって、
コンピュータプログラム命令を含み、プロセッサが前記コンピュータプログラム命令を実行すると、プロセッサが請求項１ないし１１のいずれか一項に記載の方法を実行するようにする、前記コンピュータプログラム製品。
【請求項４２】
コンピュータプログラム製品であって、
コンピュータプログラム命令を含み、プロセッサが前記コンピュータプログラム命令を実行すると、プロセッサが請求項１２ないし１７のいずれか一項に記載の方法を実行するようにする、前記コンピュータプログラム製品。
【請求項４３】
コンピュータプログラムであって、
プロセッサが前記コンピュータプログラムを実行すると、プロセッサが請求項１ないし１１のいずれか一項に記載の方法を実行するようにする、前記コンピュータプログラム。
【請求項４４】
コンピュータプログラムであって、
プロセッサが前記コンピュータプログラムを実行すると、プロセッサが請求項１２ないし１７のいずれか一項に記載の方法を実行するようにする、前記コンピュータプログラム。
【発明の詳細な説明】
【技術分野】
【０００１】
本願は、２０１８年５月５日に提出された美国仮出願番号が６２６６７４９８であり、発明名称が「ハンドオーバプロセスをサポートするメカニズムサービス」である出願の優先権を主張し、当該出願のすべての内容は本明細書に組み込まれる。
【０００２】
本願実施例は、モバイル通信の技術分野に関し、具体的には、ハンドオーバプロセスにおけるサービス処理方法および装置、端末、ネットワーク機器に関する。
【背景技術】
【０００３】
既存の第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）仕様には、サービスベースのハンドオーバプロセスが存在しない。ユーザ機器（ＵＥ：Ｕｓｅｒ  Ｅｑｕｉｐｍｅｎｔ）が１つの無線アクセスネットワーク（ＲＡＮ：Ｒａｄｉｏ  Ａｃｃｅｓｓ  Ｎｅｔｗｏｒｋ）ノードから別のＲＡＮノードに移動する時、ターゲットＲＡＮノードが、ＵＥが現在実行しているサービスをサポートしない場合があるが、これはハンドオーバ失敗に導き、現在実行中のサービスも破壊される。
【発明の概要】
【発明が解決しようとする課題】
【０００４】
本願実施例は、ハンドオーバプロセスにおけるサービス処理方法および装置、端末、ネットワーク機器を提供する。
【課題を解決するための手段】
【０００５】
第１態様によれば、本願は、ハンドオーバプロセスにおけるサービス処理方法を提供し、当該方法は、ソースＲＡＮノードが、第１サービスのサービス情報を取得することであって、前記第１サービスは、前記ソースＲＡＮノード側で端末によって開始されたサービスであることと、前記ソースＲＡＮノードが、ターゲットＲＡＮノードを決定し、ハンドオーバ要求メッセージを前記ターゲットＲＡＮノードに送信することであって、前記ハンドオーバ要求メッセージは前記第１サービスのサービス情報を搬送し、前記第１サービスのサービス情報は、前記ターゲットＲＡＮノードが、前記ターゲットＲＡＮノードが前記第１サービスをサポートするかどうかを判断するために使用されることとを含む。
【０００６】
第２態様によれば、本願は、ハンドオーバプロセスにおけるサービス処理方法を提供し、当該方法は、端末が、ターゲットセルが第１サービスをサポートするかどうかを決定することであって、前記第１サービスは、ソースＲＡＮノード側で前記端末によって開始されたサービスであり、前記ターゲットセルが前記第１サービスをサポートする場合、前記端末は、前記ターゲットセルの測定結果を搬送する第１測定報告を前記ソースＲＡＮノードに送信することと、前記ターゲットセルが前記第１サービスをサポートしない場合、前記端末は、前記ターゲットセルの測定結果を搬送しない第２測定報告を前記ソースＲＡＮノードに送信することとを含む。
【０００７】
第３態様によれば、本願は、ハンドオーバプロセスにおけるサービス処理装置を提供し、当該装置は、第１サービスのサービス情報を取得するように構成される取得ユニットであって、前記第１サービスは、前記ソースＲＡＮノード側で端末によって開始されたサービスである取得ユニットと、ターゲットＲＡＮノードを決定するように構成される決定ユニットと、ハンドオーバ要求メッセージを前記ターゲットＲＡＮノードに送信するように構成される送信ユニットであって、前記ハンドオーバ要求メッセージは前記第１サービスのサービス情報を搬送し、および前記第１サービスのサービス情報は、前記ターゲットＲＡＮノードが、前記ターゲットＲＡＮノードが前記第１サービスをサポートするかどうかを判断するために使用される送信ユニットとを備える。
【０００８】
第４態様によれば、本願は、別のハンドオーバプロセスにおけるサービス処理装置を提供し、当該装置は、ターゲットセルが第１サービスをサポートするかどうかを決定するように構成される決定ユニットであって、前記第１サービスは、ソースＲＡＮノード側で前記端末によって開始されたサービスである決定ユニットと、前記ターゲットセルが前記第１サービスをサポートする場合、前記ターゲットセルの測定結果を搬送する第１測定報告を前記ソースＲＡＮノードに送信し、前記ターゲットセルが前記第１サービスをサポートしない場合、前記ターゲットセルの測定結果を搬送しない第２測定報告を前記ソースＲＡＮノードに送信するように構成される送信ユニットとを備える。
【０００９】
第５態様によれば、本願で提供する端末は、プロセッサおよびメモリを備える。当該メモリは、１つまたは複数のコンピュータプログラムを記憶するように構成され、当該プロセッサは、当該メモリに記憶された１つまたは複数のコンピュータプログラムを呼び出して実行して、第１態様に係る、ハンドオーバプロセスにおけるサービス処理方法を実行するように構成される。
【００１０】
第６態様によれば、本願で提供するネットワーク機器は、プロセッサおよびメモリを備える。当該メモリは、１つまたは複数のコンピュータプログラムを記憶するように構成され、当該プロセッサは、当該メモリに記憶された１つまたは複数のコンピュータプログラムを呼び出して実行して、第２態様に係る、ハンドオーバプロセスにおけるサービス処理方法を実行するように構成される。
【００１１】
第７態様によれば、本願で提供するチップは、第１態様または第２態様で提供する、ハンドオーバプロセスにおけるサービス処理方法を実現するように構成される。具体的に、当該チップは、メモリから１つまたは複数のコンピュータプログラムを呼び出して実行して、当該チップが実装された機器が、第１態様または第２態様に係る、ハンドオーバプロセスにおけるサービス処理方法を実行するように構成されるプロセッサを備える。
【００１２】
第８態様によれば、本願で提供するコンピュータ可読記憶媒体は、１つまたは複数のコンピュータプログラムを記憶するために使用され、当該コンピュータプログラムは、プロセッサが、第１態様または第２態様に係る、ハンドオーバプロセスにおけるサービス処理方法を実行するようにする。
【００１３】
第９態様によれば、本願で提供するコンピュータプログラム製品は、コンピュータプログラム命令を含み、当該コンピュータプログラム命令は、プロセッサが、第１態様または第２態様に係る、ハンドオーバプロセスにおけるサービス処理方法を実行するようにする。
【００１４】
第１０態様によれば、本願は、コンピュータプログラムを提供し、当該コンピュータプログラムがプロセッサによって実行されると、プロセッサが、第１態様または第２態様に係る、ハンドオーバプロセスにおけるサービス処理方法を実行するようにする。
【発明の効果】
【００１５】
本願の上記の技術的解決策によれば、ソースＲＡＮノードは、ハンドオーバ要求メッセージを介して、端末が当該ソースＲＡＮノード側で開始したサービスのサービス情報をターゲットＲＡＮノードに送信する。したがって、ターゲットＲＡＮノードは、自体がサポートするサービス能力に応じて、ソースＲＡＮノードのハンドオーバ要求メッセージの応答方法を決定し、それにより、ターゲットＲＡＮノードがソースＲＡＮノードでの端末のサービスをサポートしないことによるハンドオーバ失敗を回避し、さらに、サービス中断を回避することができる。
【図面の簡単な説明】
【００１６】
ここで説明した図面は、更なる理解を提供するために使用され、本願の一部を構成し、本願の例示的な実施例およびそれらの説明は、本願を説明するために使用され、本願に対して不当な限定を構成しない。
【図１】本願実施例に係る通信システムアーキテクチャの概略図である。
【図２】本願実施例に係る、ハンドオーバプロセスにおけるサービス処理方法の第１の例示的なフローチャートである。
【図３】本願実施例に係る、ハンドオーバプロセスにおけるサービス処理方法の例示的な第２のフローチャートである。
【図４】本願実施例に係る、ハンドオーバプロセスにおけるサービス処理装置の構成の第１の概略的な構造図である。
【図５】本願実施例に係る、ハンドオーバプロセスにおけるサービス処理装置の構成の第２の概略的な構造図である。
【図６】本願実施例に係る通信機器の概略的な構造図である。
【図７】本願実施例に係るチップの概略的な構造図である。
【図８】本願実施例で提供する通信システムの例示的なブロック図である。
【発明を実施するための形態】
【００１７】
以下、本願実施例における図面を参照して、本願実施例における技術的解決策を説明するが、説明された実施例は、本願実施例の一部であり、全部の実施例ではないことは明らかである。本願実施例に基づき、創造的な努力なしに当業者が取得した他のすべての実施例は、本願の保護範囲に含まれる。
【００１８】
本願実施例の技術案は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは未来の５Ｇ通信システムなど、様々な通信システムに適用されることができる。
【００１９】
図１は通信システム１００を示す。当該通信システム１００は、本願実施例が適用する通信システムの例に過ぎない。当該通信システム１００は、ネットワーク機器１１０を備えることができ、ネットワーク機器１１０は、端末１２０（または通信端末、端末と称する）と通信する機器であってもよい。ネットワーク機器１１０は、特定の地理的エリアに通信カバレッジを提供することができ、当該カバレッジエリア内に位置する端末と通信することができる。少なくとも１つの実施例において、当該ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、さらに、ＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであってもよく、または、当該ネットワーク機器は、モバイルスイッチングセンタ、リレーステーション、アクセスポイント、車載機器、ウェアラブル機器、ハブ、スイッチ、ブリッジ、未来の５Ｇネットワークのネットワーク側の機器、または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２０】
当該通信システム１００は、ネットワーク機器１１０のカバレッジエリア内に位置する少なくとも１つの端末１２０をさらに備える。ここで使用される「端末」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブルを介した接続などの有線回線接続を介した、および／または別のデータ接続／ネットワークを介した、および／または、セルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）、デジタルビデオ放送ハンドヘルド（ＤＶＢ−Ｈ：Ｄｉｇｉｔａｌ  Ｖｉｄｅｏ  Ｂｒｏａｄｃａｓｔｉｎｇ  Ｈａｎｄｈｅｌｄ）ネットワークなどのデジタルテレビネットワーク、衛星ネットワーク、ＡＭ−ＦＭ放送送信機などに対する無線インターフェースを介した、および／または別の端末の、通信信号を送受信するように設定された装置、および／または物事のインターネットシステム（ＩｏＴ：Ｉｎｔｅｒｎｅｔ  ｏｆ  Ｔｈｉｎｇｓ）機器と通信する機器を含むが、これらに限定されない。無線インターフェースを介して通信するように設定された端末は、「無線通信端末」、「無線端末」または「モバイル端末」と称し得る。モバイル端末の例は、衛星または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信機を備えることができる携帯情報端末（ＰＤＡ：Ｐｅｒｓｏｎａｌ  Ｄｉｇｉｔａｌ  Ａｓｓｉｓｔａｎｔ）、および従来のラップトップ型および／またはハンドヘルド型受信機または無線電話トランシーバを備えた他の電子装置を含み得るが、これらに限定されない。端末は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、ＰＤＡ、無線通信機能を備えたハンドヘルドデバイス、コンピューティングデバイスまたは無線モデムに接続されたその他の処理デバイス、車載デバイス、ウェアラブルデバイスおよび５Ｇネットワークの端末または未来進化のＰＬＭＮの端末などであってもよい。
【００２１】
少なくとも１つの実施例において、端末１２０間では、装置対装置（Ｄ２Ｄ：Ｄｅｖｉｃｅ  ｔｏ  Ｄｅｖｉｃｅ）通信を実行することができる。
【００２２】
少なくとも１つの実施例において、５Ｇシステムまたは５Ｇネットワークは、ニューラジオ（ＮＲ：Ｎｅｗ  Ｒａｄｉｏ）システムまたはＮＲネットワークとも称し得る。
【００２３】
図１は、１つネットワーク機器および２つの端末を例示的に示し、少なくとも１つの実施例において、当該通信システム１００は、複数のネットワーク機器を備えることができ、さらに、各ネットワーク機器のカバレッジエリアには他の数の端末が備えた可能性があり、本願実施例は、これらに対して限定しない。
【００２４】
少なくとも１つの実施例において、当該通信システム１００は、ネットワークコントローラ、モバイル管理エンティティなどの他のネットワークエンティティをさらに備えることができ、本願実施例は、これらに対して限定しない。
【００２５】
本願実施例では、ネットワーク／システムにおける通信機能を備えた機器を通信機器と称し得ることを理解されたい。図１に示された通信システム１００を例とすると、通信機器は、通信機能を備えたネットワーク１１０および端末１２０を備えることができ、ネットワーク機器１１０および端末１２０は、上文に記載の具体的な機器であってもよく、ここでは繰り返して説明せず、通信機器は、通信システム１００における、ネットワークコントローラ、モバイル管理エンティティなどの他のネットワークエンティティなど、他の機器をさらに備えることができ、本願実施例はこれらに対して制限しない。
【００２６】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００２７】
図２は、本願実施例に係る、ハンドオーバプロセスにおけるサービス処理方法の第１の例示的なフローチャートである。図２に示されたように、前記ハンドオーバプロセスにおけるサービス処理方法は、次のステップを含む。
【００２８】
ステップ２０１において、ソース無線アクセスネットワーク（ＲＡＮ）ノードが、第１サービスのサービス情報を取得し、ここで、前記第１サービスは、前記ソースＲＡＮノード側で端末によって開始されたサービスである。
【００２９】
本願実施例では、ＲＡＮノードは、基地局またはセルにハンドオーバしてもよい。
【００３０】
本願実施例では、端末がソースＲＡＮノードにアクセスした後に、前記ソースＲＡＮノード側で第１サービスを開始することができる。前記第１サービスのサービス情報は、サービス識別子、サービスタイプなどであってもよい。前記ソースＲＡＮノードは、次の任意の方式を介して、前記第１サービスのサービス情報を取得することができる。
【００３１】
最初の方式として、前記ソースＲＡＮノードが、コアネットワークノードから、第１サービスのサービス情報を取得する。
【００３２】
具体的に、前記ソースＲＡＮノードは、コアネットワークノードによって送信された第１要求メッセージを受信し、前記第１要求メッセージは前記第１サービスのサービス情報を搬送し、前記第１要求メッセージは、前記ソースＲＡＮノード側での第１サービスの第１接続の確立を要求するために使用される。
【００３３】
最初の方式の詳細は、以下、実施例１の説明を参照することができる。
【００３４】
第２の方式として、前記ソースＲＡＮノードが、前記端末から、第１サービスのサービス情報を取得する。
【００３５】
前記ソースＲＡＮノードは、次の任意の方式を介して、前記端末から第１サービスのサービス情報を取得することができる。
【００３６】
１）前記ソースＲＡＮノードが、前記端末によって送信された第２要求メッセージを受信し、前記第２要求メッセージは前記第１サービスのサービス情報を搬送し、および前記第２要求メッセージは、前記第１サービスの確立を要求するために使用される。
【００３７】
２）前記ソースＲＡＮノードが、前記端末によって送信された測定報告を受信し、前記測定報告は前記第１サービスのサービス情報を搬送する。
【００３８】
３）前記ソースＲＡＮノードが、前記端末に対してサービス固有の測定報告イベントを構成し、前記端末によって送信されたサービス固有の測定報告イベントを受信し、前記サービス固有の測定報告イベントは、ハンドオーバする必要がある前記第１サービスに関連付けられる。
【００３９】
第２の方式の詳細は、以下、実施例１の説明を参照することができる。
【００４０】
ステップ２０２において、前記ソースＲＡＮノードが、ターゲットＲＡＮノードを決定し、ハンドオーバ要求メッセージを前記ターゲットＲＡＮノードに送信する。ここで、前記ハンドオーバ要求メッセージは前記第１サービスのサービス情報を搬送し、前記第１サービスのサービス情報は、前記ターゲットＲＡＮノードが、前記ターゲットＲＡＮノードが前記第１サービスをサポートするかどうかを判断するために使用される。
【００４１】
本願実施例の技術案を便宜に理解するため、以下では、先ず、本願実施例に関するハンドオーバプロセスについて説明する。ハンドオーバプロセスは、次のステップを含む。Ｉ）端末（ＵＥなど）が、ソースＲＡＮノードからターゲットＲＡＮノードへ移動する場合、端末は、測定報告をソースＲＡＮノードに報告する。ＩＩ）ソースＲＡＮノードは、測定報告情報に基づいて、ターゲットＲＡＮノードを決定することと、ＩＩＩ）ソースＲＡＮノードは、ハンドオーバ要求メッセージをターゲットＲＡＮノードに送信する。ＩＶ）ターゲットＲＡＮノードは、ハンドオーバ要求応答メッセージをソースＲＡＮノードに送信する。
【００４２】
本願実施例では、ソースＲＡＮノードは、上記のステップＩＩＩ）におけるハンドオーバ要求メッセージを介して、第１サービスのサービス情報をターゲットＲＡＮノードに通知する。ターゲットＲＡＮノードは、第１サービスのサービス情報に従って、ノード自体が前記第１サービスをサポートするかどうかを決定する。
【００４３】
前記ターゲットＲＡＮノードが前記第１サービスをサポートする場合、前記ソースＲＡＮノードは、前記ターゲットＲＡＮノードによって送信されたハンドオーバ受け入れメッセージを受信する。
【００４４】
前記ターゲットＲＡＮノードが前記第１サービスをサポートしない場合、前記ソースＲＡＮノードが、前記ターゲットＲＡＮノードによって送信されたハンドオーバ拒否メッセージを受信する。さらに、前記ハンドオーバ拒否メッセージは第１指示情報を搬送し、前記第１指示情報は、ハンドオーバ拒否の原因が、前記ターゲットＲＡＮノードが前記第１サービスをサポートしないことであることを指示する。
【００４５】
本願実施例では、前記ソースＲＡＮノードが、１つまたは複数の隣接するＲＡＮノードの第１情報を取得し、前記第１情報は、前記１つまたは複数の隣接するＲＡＮノードが前記第１サービスをサポートするかどうかを指示し、前記ソースＲＡＮノードが、前記第１サービスをサポートし、隣接するＲＡＮノードを候補ターゲットＲＡＮノードとして決定し、前記候補ターゲットＲＡＮノードから前記ターゲットＲＡＮノードを選択する。このようにして、ターゲットＲＡＮノードは、自然的に前記第１サービスをサポートし、それにより、ハンドオーバの成功が保証され、一方、第１サービスの中断も回避される。
【００４６】
図３は、本願実施例に係る、ハンドオーバプロセスにおけるサービス処理方法の第２の例示的なフローチャートである。図３に示されたように、前記ハンドオーバプロセスにおけるサービス処理方法は、次のステプを含む。
【００４７】
ステップ３０１において、端末が、ターゲットセルが第１サービスをサポートするかどうかを決定し、ここで、前記第１サービスは、ソースＲＡＮノード側で前記端末によって開始されたサービスである。
【００４８】
本願実施例では、前記端末は、携帯電話、ノートブックコンピュータ、車載端末、ウェアラブル端末などの、任意のネットワークと通信することができる機器であってもよい。
【００４９】
一実施形態において、前記端末は、ターゲットセルが測定イベントを満たすかどうかを決定する。前記ターゲットセルが前記測定イベントを満たす場合、端末は、前記ターゲットセルが第１サービスをサポートするかどうかを決定する。
【００５０】
本願実施例では、前記ターゲットセルが第１サービスをサポートするかどうかを決定するために、端末は、１つまたは複数の隣接セルのサービス能力情報を先に取得する必要がある。ターゲットセルは、１つまたは複数の隣接セルのうちの１つであることに留意されたい。具体的に、前記端末は、次の任意の方式を介して、１つまたは複数の隣接セルのサービス能力情報を取得することができる。
【００５１】
最初の方式として、前記端末が、前記ソースＲＡＮノードによって送信された第２情報を受信し、前記第２情報は、１つまたは複数の隣接セルが前記第１サービスをサポートするかどうかを指示し、および前記１つまたは複数の隣接セルは前記ターゲットセルを含む。前記第２情報は、放送メッセージまたは専用シグナリングに搬送される。
【００５２】
第２の方式として、前記端末は、１つまたは複数の隣接セルのシステム情報を取得し、前記１つまたは複数の隣接セルのシステム情報に基づいて、前記１つまたは複数の隣接セルが前記第１サービスをサポートするかどうかを決定する。前記１つまたは複数の隣接セルは前記ターゲットセルを含む。
【００５３】
ステップ３０２において、前記ターゲットセルが前記第１サービスをサポートする場合、前記端末は、前記ターゲットセルの測定結果を搬送する測定報告を前記ソースＲＡＮノードに送信し、前記ターゲットセルが前記第１サービスをサポートしない場合、前記端末は、前記ターゲットセルの測定結果を搬送しない測定報告を前記ソースＲＡＮノードに送信する。
【００５４】
具体的に、当ターゲットセルが第１サービスをサポートする場合、端末は、第１測定報告をソースＲＡＮノードに送信し、当該第１測定報告にはターゲットセルの測定結果が搬送されている。ターゲットセルが第１サービスをサポートしない場合、端末は、第２測定報告をソースＲＡＮノードに送信し、当該第２測定報告は、ターゲットセルの測定結果を搬送しない。
【００５５】
本願実施例では、前記ターゲットセルが前記第１サービスをサポートしない場合、前記端末は、前記ターゲットセルの測定結果を搬送しない測定報告を前記ソースＲＡＮノードに送信する。したがって、ソースＲＡＮノードは、セルハンドオーバ中に、ターゲットセルの測定結果を搬送しない。それにより、前記第１サービスをサポートしないターゲットセルへのハンドオーバを回避する。
【００５６】
前記ターゲットセルが前記第１サービスをサポートしない場合、端末は、ターゲットセルに対して測定してもよく、ターゲットセルに対して測定しなくてもよいことに留意されたい。端末がターゲットセルに対して測定する場合、ターゲットセルの測定結果は、測定報告に搬送されない。
【００５７】
さらに、前記端末は、前記第１サービスをサポートする隣接セルに対して測定し、および前記第１サービスをサポートしない隣接セルに対して測定しない。このようにして、端末の電力を節約する同時に、第１サービスをサポートしない隣接セルの測定結果をソースＲＡＮノードに報告することを回避し、それにより、第１サービスをサポートしない隣接セルへのセルのハンドオーバを回避することができる。
【００５８】
以下、具体的な応用例を参照して、本願実施例の上記の技術案について例を挙げながら説明する。
【００５９】
実施例１において、コアネットワークは、サービス情報をＲＡＮノードに通知する。
【００６０】
ＵＥがソースネットワークを介してサービスを開始する場合、ＵＥは、コアネットワークの公衆データ  ネットワーク（ＰＤＮ：Ｐｕｂｌｉｃ  Ｄａｔａ  Ｎｅｔｗｏｒｋ）接続性またはプロトコルデータユニット（ＰＤＵ：Ｐｒｏｔｏｃｏｌ  Ｄａｔａ  Ｕｎｉｔ）セッションなどのネットワークとの接続が確立する。コアネットワークとソースＲＡＮノードとの間のインターフェース上のメッセージを介して、サービス用のソースＲＡＮトンネルを確立するようにソースＲＡＮノードに要求し、コアネットワークは、前記サービスのサービス情報をソースＲＡＮノードに通知する。ＵＥがソースＲＡＮノードからターゲットＲＡＮノードへ移動する場合、ＵＥは、測定報告をソースＲＡＮノードに報告し、ソースＲＡＮノードは、測定報告情報に基づいてターゲットＲＡＮノードを決定する。ソースＲＡＮノードは、サービス情報を含むハンドオーバ要求メッセージをターゲットＲＡＮノードに送信する。ターゲットＲＡＮノードは、自身がソースＲＡＮノードによって送信されたハンドオーバ要求メッセージが指示するサービスをサポートするかどうかを判断し、当該サービスをサポートする場合、ソースＲＡＮノードにハンドオーバすることを受けるように応答し、当該サービスをサポートしない場合、ソースＲＡＮノードにハンドオーバすることを拒否するように応答する。少なくとも１つの例において、ハンドオーバ拒否は、サービスをサポートしない拒否理由を搬送することができる。
【００６１】
例示的に、ソースＲＡＮノードは、当該サービスをサポートするかどうかに関する、隣接するＲＡＮノード情報を取得した後に、隣接するＲＡＮノードを候補ターゲットＲＡＮノードとして選択するかどうかを決定することができる。
【００６２】
実施例２において、ＵＥは、サービス情報をソースＲＡＮノードに通知する。
【００６３】
ＵＥがソースＲＡＮノードによってサービスを確立する場合、ＵＥは、次のメカニズムのうちの１つを介して、サービス情報をソースＲＡＮノードに通知する。
【００６４】
Ａｌｔ１：ＵＥがサービスを確立する場合、ＵＥは、サービス情報をソースＲＡＮノードに指示する。
【００６５】
Ａｌｔ２：測定報告を報告する場合、ＵＥは、測定報告においてサービス情報を指示する。
【００６６】
Ａｌｔ３：ネットワーク側装置は、ＵＥに対して、サービス固有の測定報告イベントに対するトリガーを構成し、ＵＥは、ハンドオーバする必要があるサービスに関連付けられる測定報告をトリガーする。
【００６７】
ハンドオーバを実行する場合、ネットワーク側装置は、実施例１と同じ操作を実行する。ＵＥがソースＲＡＮノードからターゲットＲＡＮノードへ移動する場合、ＵＥは、測定報告をソースＲＡＮノードに報告し、当該ソースＲＡＮノードは、測定報告情報に基づいて、ターゲットＲＡＮノードを決定する。ソースＲＡＮノードは、サービス情報を含むハンドオーバ要求メッセージをターゲットＲＡＮノードに送信する。ターゲットＲＡＮノードは、自身がソースＲＡＮノードによって送信されたハンドオーバ要求メッセージが指示するサービスをサポートするかどうかを判断し、当該サービスをサポートする場合、ソースＲＡＮノードにハンドオーバすることを受けるように応答し、当該サービスをサポートしない場合、ソースＲＡＮノードにハンドオーバすることを拒否するように応答する。少なくとも１つの例において、ハンドオーバ拒否は、サービスをサポートしない拒否理由を搬送することができる。
【００６８】
例示的に、ソースＲＡＮノードは、当該サービスをサポートするかどうかに関する、隣接するＲＡＮノード情報を取得した後に、隣接するＲＡＮノードを候補ターゲットＲＡＮノードとして選択するかどうかを決定することができる。
【００６９】
実施例３：ＵＥは、候補ターゲットＲＡＮノード／セルを決定する。
【００７０】
ＵＥが測定イベントを満たす場合、ＵＥは測定を実行する。ＵＥは、さらに、セルが、今実行中のサービスをサポートするかどうかを検査し、セルが、今実行中のサービスをサポートする場合、ＵＥは、当該セルをソースＲＡＮノードの測定報告に含め、セルが、今実行中のサービスをサポートしない場合、ＵＥはセルを含まない。ＵＥ検査方法は、次の通りである。
【００７１】
Ａｌｔ１：ソースＲＡＮノードは、放送または専用シグナリングを介して、サービスをサポートするかどうかに関連付けられる、隣接セル能力情報をＵＥに指示する。例として、隣接セル能力情報は測定報告に含まれる。
【００７２】
Ａｌｔ２：ＵＥは、ソースＲＡＮノードの指示に従って、今実行中のサービスをサポートする隣接セルに対して測定しない。
【００７３】
Ａｌｔ３：セルが測定イベントを満たす場合、ＵＥは、さらに、隣接セルのシステム情報を取得することにより、隣接セルが、今実行中のサービスをサポートするかどうかを検査する。
【００７４】
図４は、本願実施例に係る、ハンドオーバプロセスにおけるサービス処理装置の第１の概略的な構造図であり、前記ハンドオーバプロセスにおけるサービス処理装置は、ソースＲＡＮノードなどのネットワーク機器に適用する。図４に示されたように、前記ハンドオーバプロセスにおけるサービス処理装置は、取得ユニット４０１、決定ユニット４０２および送信ユニット４０３を備える。
【００７５】
取得ユニット４０１は、第１サービスのサービス情報を取得するように構成され、前記第１サービスは、前記ソースＲＡＮノード側で端末によって開始されたサービスである。
【００７６】
決定ユニット４０２は、ターゲットＲＡＮノードを決定するように構成される。
【００７７】
送信ユニット４０３は、ハンドオーバ要求メッセージを前記ターゲットＲＡＮノードに送信するように構成される。前記ハンドオーバ要求メッセージは前記第１サービスのサービス情報を搬送し、および前記第１サービスのサービス情報は、前記ターゲットＲＡＮノードが、前記ターゲットＲＡＮノードが前記第１サービスをサポートするかどうかを判断するために使用される。
【００７８】
一実施形態において、前記装置は受信ユニット４０４をさらに備える。当該受信ユニット４０４は、前記ターゲットＲＡＮノードによって送信されたハンドオーバ受け入れメッセージを受信するように構成され、ここで、前記ターゲットＲＡＮノードは前記第１サービスをサポートする。
【００７９】
一例示的な実施形態において、前記装置は受信ユニット４０４をさらに備える。当該受信ユニット４０４は、前記ターゲットＲＡＮノードによって送信されたハンドオーバ拒否メッセージを受信するように構成され、ここで、前記ターゲットＲＡＮノードは前記第１サービスをサポートしない。
【００８０】
一実施形態において、前記ハンドオーバ拒否メッセージは第１指示情報を搬送し、前記第１指示情報は、ハンドオーバ拒否の原因が、前記ターゲットＲＡＮノードが前記第１サービスをサポートしないことであることを指示する。
【００８１】
一実施形態において、前記取得ユニット４０１は、１つまたは複数の隣接するＲＡＮノードの第１情報を取得し、前記第１サービスをサポートする、隣接するＲＡＮノードを候補ターゲットＲＡＮノードとして決定するように構成され、ここで、前記第１情報は、前記１つまたは複数の隣接するＲＡＮノードが前記第１サービスをサポートするかどうかを指示する。
【００８２】
前記決定ユニット４０２は、さらに、前記候補ターゲットＲＡＮノードから前記ターゲットＲＡＮノードを選択するように構成される。
【００８３】
一実施形態において、前記取得ユニット４０１は、さらに、コアネットワークノードから、第１サービスのサービス情報を取得するように構成される。
【００８４】
一実施形態において、前記取得ユニット４０１は、さらに、コアネットワークノードによって送信された第１要求メッセージを受信するように構成される。前記第１要求メッセージは前記第１サービスのサービス情報を搬送し、前記第１要求メッセージは、前記ソースＲＡＮノード側での第１サービスの第１接続の確立を要求するために使用される。
【００８５】
一実施形態において、前記取得ユニット４０１は、さらに、前記端末から、第１サービスのサービス情報を取得するように構成される。
【００８６】
一実施形態において、前記取得ユニット４０１は、さらに、前記端末によって送信された第２要求メッセージを受信するように構成される。前記第２要求メッセージは前記第１サービスのサービス情報を搬送し、前記第２要求メッセージは、前記第１サービスの確立を要求するために使用される。
【００８７】
一実施形態において、前記取得ユニット４０１は、さらに、前記端末によって送信された測定報告を受信するように構成され、前記測定報告は前記第１サービスのサービス情報を搬送する。
【００８８】
一実施形態において、前記装置は、構成ユニット４０５をさらに備える。
【００８９】
構成ユニット４０５は、前記端末に対してサービス固有の測定報告イベントを構成するように構成される。
【００９０】
前記取得ユニット４０１は、さらに、前記端末によって送信されたサービス固有の測定報告イベントを受信するように構成され、前記サービス固有の測定報告イベントは、ハンドオーバする必要がある前記第１サービスに関連付けられる。
【００９１】
本願実施例のハンドオーバプロセスにおけるサービス処理装置の関連説明は、本願実施例のハンドオーバプロセスにおけるサービス処理方法の関連説明を参照して理解することができることに理解されたい。
【００９２】
図５は、本願実施例で提供するハンドオーバプロセスにおけるサービス処理装置の第２の概略的な構造図であり、前記ハンドオーバプロセスにおけるサービス処理装置は端末に適用される。図５に示されたように、前記ハンドオーバプロセスにおけるサービス処理装置は、決定ユニット５０１および送信ユニット５０２を備える。
【００９３】
決定ユニット５０１は、ターゲットセルが第１サービスをサポートするかどうかを決定するように構成される。前記第１サービスは、ソースＲＡＮノード側で前記端末によって開始されたサービスである。
【００９４】
送信ユニット５０２は、前記ターゲットセルが前記第１サービスをサポートする場合、第１測定報告を前記ソースＲＡＮノードに送信し、前記ターゲットセルが前記第１サービスをサポートしない場合、第２測定報告を前記ソースＲＡＮノードに送信するように構成される。前記第１測定報告は前記ターゲットセルの測定結果を搬送する。前記第２測定報告は前記ターゲットセルの測定結果を搬送しない。
【００９５】
一実施形態において、前記決定ユニット５０１は、さらに、ターゲットセルが測定イベントを満たすかどうかを決定し、前記ターゲットセルが前記測定イベントを満たす場合、前記ターゲットセルが第１サービスをサポートするかどうかを決定するように構成される。
【００９６】
一実施形態において、前記装置は、受信ユニット５０３をさらに備える。当該受信ユニット５０３は、前記ソースＲＡＮノードによって送信された第２情報を受信するように構成される。前記第２情報は、１つまたは複数の隣接セルが前記第１サービスをサポートするかどうかを指示し、前記１つまたは複数の隣接セルは前記ターゲットセルを含む。
【００９７】
一実施形態において、前記第２情報は、放送メッセージまたは専用シグナリングに搬送される。
【００９８】
一実施形態において、前記装置は、取得ユニット５０４をさらに備える。当該取得ユニット５０４は、１つまたは複数の隣接セルのシステム情報を取得し、前記１つまたは複数の隣接セルのシステム情報に基づいて、前記１つまたは複数の隣接セルが前記第１サービスをサポートするかどうかを決定するように構成される。前記１つまたは複数の隣接セルは前記ターゲットセルを含む。
【００９９】
一実施形態において、前記装置は測定ユニット５０５をさらに備える。当該測定ユニット５０５は、前記第１サービスをサポートする隣接セルに対して測定し、前記第１サービスをサポートしない隣接セルに対して測定しないように構成される。
【０１００】
本願実施例のハンドオーバプロセスにおけるサービス処理装置の関連説明は、本願実施例のハンドオーバプロセスにおけるサービス処理方法の関連説明を参照して理解することができることに理解されたい。
【０１０１】
図６は、本願実施例に係る通信機器の概略的な構造図である。当該通信機器は端末であってもよく、ネットワーク機器であってもよい。図６に示されたように、通信機器６００はプロセッサ６１０を備える。当該プロセッサ６１０は、本願実施例における方法を実現するために、メモリにおけるコンピュータプログラムを呼び出して実行することができる。
【０１０２】
少なくとも１つの実施例において、図６に示されたように、通信機器６００は、メモリ６２０をさらに備えることができる。プロセッサ６１０は、本願実施例における方法を実現するために、メモリ６２０におけるコンピュータプログラムを呼び出して実行することができる。
【０１０３】
メモリ６２０は、プロセッサ６１０から独立した１つ独立的なデバイスであってもよく、プロセッサ６１０に統合されてもよい。
【０１０４】
少なくとも１つの実施例において、図６に示されたように、通信機器６００は、トランシーバ６３０をさらに備えることができる。  プロセッサ６１０は、当該トランシーバ６３０を制御して他の機器と通信することができ、具体的に、プロセッサ６１０は、トランシーバ６３０を制御して情報またはデータを他の機器に送信し、または他の機器によって送信された情報またはデータを受信することができる。
【０１０５】
トランシーバ６３０は、送信機および受信機を備えることができる。トランシーバ６３０は、１つまたは複数のアンテナをさらに備えることができる。
【０１０６】
少なくとも１つの実施例において、当該通信機器６００は、具体的に、本願実施例のネットワーク機器であってもよく、当該通信機器６００は、本願実施例の各方法における、ネットワーク機器によって実現される対応するプロセスを実現することができ、簡潔のために、ここでは繰り返して説明しない。
【０１０７】
少なくとも１つの実施例において、当該通信機器６００は、本願実施例のモバイル端末／端末であってもよい。通信機器６００は、本願実施例の各方法における、モバイル端末／端末によって実現される対応するプロセスを実現することができ、簡潔のために、ここでは繰り返して説明しない。
【０１０８】
図７は、本願実施例に係るチップの概略的な構造図である。図７に示されたように、チップ７００はプロセッサ７１０を備える。プロセッサ７１０は、本願実施例における方法を実現するために、メモリにおけるコンピュータプログラムを呼び出して実行することができる。
【０１０９】
少なくとも１つの実施例において、図７に示されたように、チップ７００は、メモリ７２０をさらに備えることができる。プロセッサ７１０は、本願実施例における方法を実現するために、メモリ７２０におけるコンピュータプログラムを呼び出して実行することができる。
【０１１０】
メモリ７２０は、プロセッサ７１０から独立した１つ独立的なデバイスであってもよく、プロセッサ７１０に統合されてもよい。
【０１１１】
少なくとも１つの実施例において、当該チップ７００は、入力インターフェース７３０をさらに備えることができる。プロセッサ７１０は、当該入力インターフェース７３０を制御して他の機器またはチップと通信することができ、具体的に、プロセッサ７１０は、当該入力インターフェース７３０を制御して、他の機器またはチップによって送信された情報またはデータを取得することができる。
【０１１２】
少なくとも１つの実施例において、当該チップ７００は、出力インターフェース７４０をさらに備えることができる。プロセッサ７１０は、当該出力インターフェース７４０を制御して他の機器またはチップと通信することができ、具体的に、プロセッサ７１０は、当該出力インターフェース７４０を制御して、他の機器またはチップに情報またはデータを出力することができる。
【０１１３】
少なくとも１つの実施例において、当該チップは、本願実施例におけるネットワーク機器に適用されることができる。当該チップは、本願実施例の各方法における、ネットワーク機器によって実現される対応するプロセスを実現することができ、簡潔のために、ここでは繰り返して説明しない。
【０１１４】
少なくとも１つの実施例において、当該チップは、本願実施例におけるモバイル端末／端末を適用することができる。当該チップは、本願実施例の各方法における、モバイル端末／端末によって実現される対応するプロセスを実現することができ、簡潔のために、ここでは繰り返して説明しない。
【０１１５】
本願実施例で言及されるチップはシステムオンチップ、システムチップ、チップシステムまたはシステムオンチップなどとも称し得ることを理解されたい。
【０１１６】
図８は、本願実施例に係る通信システム９００の例示的なブロック図である。図８に示されたように、当該通信システム９００は、端末９１０およびネットワーク機器９２０を備える。
【０１１７】
当該端末９１０は、上記の方法の、端末によって実現される対応する機能を実現するように構成されることができ、および当該ネットワーク機器９２０は、上記の方法における、ネットワーク機器によって実現される対応する機能を実現することができ、簡潔のために、ここでは繰り返して説明しない。
【０１１８】
本願実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本開示の実施例で開示された各方法、ステップおよび論理ブロック図を実現または実行することができる。汎用プロセッサは、マイクロプロセッサであってもよく、または当該プロセッサは任意の従来のプロセッサなどであってもよい。本願実施例を組み合たせて開示された方法のステップは、ハードウェア復号化プロセッサによって実行されて完了すると直接に具現されることができ、または復号化プロセッサにおけるハードウェアおよびソフトウェアモジュールの組み合わせによって実行されて完了してもよい。ソフトウェアモジュールは、ランダムメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）または電気的に消去可能なプログラマブルメモリ（ＥＥＰＲＯＭ：Ｅｌｅｃｔｒｉｃａｌｌｙ  ＥＰＲＯＭ）、レジスタなど当技術分野の熟知する記憶媒体に配置されてもよい。当該記憶媒体はメモリに配置される。プロセッサはメモリの情報を読み取り、そのハードウェアと組み合わせて前記方法のステップを完了する。
【０１１９】
本願実施例におけるメモリは、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ）、プログラム可能な読み取り専用メモリ（ＰＲＯＭ）、消去可能なプログラム可能な読み取り専用メモリ（ＥＰＲＯＭ）、電気的に消去可能なプログラム可能な読み取り専用メモリ（ＥＥＰＲＯＭ）またはフラッシュメモリであってもよい。揮発性メモリは、外部キャッシュとして使用されるランダムアクセスメモリ（ＲＡＭ）であってもよい。例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭを使用することができる。本明細書で説明するシステムおよび方法のメモリは、これらおよび任意の他の適切なタイプのメモリを含むが、これらに限定されないことを意図することを留意されたい。
【０１２０】
本願実施例は、１つまたは複数のコンピュータプログラムを記憶するために使用される、コンピュータ読み取り可能な記憶媒体をさらに提供する。
【０１２１】
少なくとも１つの実施例において、当該コンピュータ可読記憶媒体は、本願実施例におけるネットワーク機器に適用されることができる。当該コンピュータプログラムは、プロセッサが、本願実施例の各方法における、ネットワーク機器によって実現される対応するプロセスを実行するようにし、簡潔のために、ここでは繰り返して説明しない。
【０１２２】
少なくとも１つの実施例において、当該コンピュータ可読記憶媒体は、本願実施例におけるモバイル端末／端末に適用されることができる。当該コンピュータプログラムは、プロセッサが、本願実施例の各方法における、モバイル端末／端末によって実現される対応するプロセスを実行するようにし、簡潔のために、ここでは繰り返して説明しない。
【０１２３】
本願実施例は、コンピュータプログラム製品をさらに提供する。当該コンピュータプログラム製品は、１つ以上のコンピュータプログラム命令を含む。
【０１２４】
少なくとも１つの実施例において、当該コンピュータプログラム製品は、本願実施例におけるネットワーク機器に適用されることができる。当該コンピュータプログラム命令は、プロセッサが、本願実施例の各方法における、ネットワーク機器によって実現される対応するプロセスを実行するようにし、簡潔のために、ここでは繰り返して説明しない。
【０１２５】
少なくとも１つの実施例において、当該コンピュータプログラム製品は、本願実施例におけるモバイル端末／端末に適用されることができる。当該コンピュータプログラム命令は、プロセッサが、本願実施例の各方法における、モバイル端末／端末によって実現される対応するプロセスを実行するようにし、簡潔のために、ここでは繰り返して説明しない。
【０１２６】
本願実施例は、コンピュータプログラムをさらに提供する。
【０１２７】
少なくとも１つの実施例において、当該コンピュータプログラムは、本願実施例におけるネットワーク機器に適用されることができる。プロセッサがコンピュータプログラムを実行する場合、プロセッサが、本願実施例の各方法における、ネットワーク機器によって実現される対応するプロセスを実行するようにし、簡潔のために、ここでは繰り返して説明しない。
【０１２８】
少なくとも１つの実施例において、当該コンピュータプログラムは、本願実施例におけるモバイル端末／端末に適用されることができる。プロセッサがコンピュータプログラムを実行する場合、プロセッサが、本願実施例の各方法における、モバイル端末／端末によって実現される対応するプロセスを実行するようにし、簡潔のために、ここでは繰り返して説明しない。
【０１２９】
当業者は、本明細書で開示された実施例と組み合わせて説明された各例示のユニットおよびアルゴリズムステップが、電子ハードウェア、またはコンピュータソフトウェアおよび電子ハードウェアの組み合わせによって実現されることができることを理解するであろう。これらの機能がハードウェアの形で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の範囲を超えると見なされるべきではない。
【０１３０】
当業者は、説明の便宜上および簡潔にするために、上記に説明されたシステム、装置およびユニットの具体的な作業プロセスは、上記の方法の実施例における対応するプロセスを参照することができることを明確に理解することができ、ここでは繰り返して説明しない。
【０１３１】
本願で提供されたいくつかの実施例において、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した間接的な結合または通信接続であり得る。
【０１３２】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１３３】
また、本願の各実施例における各機能ユニットを一つの処理ユニットに統合してもよく、各ユニットを別々に１つのユニットとして使用してもよいし、２つ以上のユニットを１つのユニットに統合してもよい。
【０１３４】
前記機能は、ソフトウェア機能ユニットの形で実現され、スタンドアロン製品として販売または使用される場合、コンピュータ読み取り可能な記憶媒体に記憶されることができる。このような理解に基づいて、本願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。上記した記憶媒体は、Ｕディスク、モバイルハードディスク、ＲＯＭ、ＲＡＭ、磁気ディスクまたは光ディスクなどのプログラムコードを記憶することができる様々なメディアを含む。
【０１３５】
上記した内容は、本願の具体的な実施形態に過ぎないが、本願の保護範囲はこれに限定されず、当業者は、本願に開示された技術的範囲内で容易に想到し得る変更または置換は、すべて本願の保護範囲内に含まれるべきである。したがって、本願の保護範囲は、特許請求の範囲の保護範囲に従うものとする。
【図１】
2021522761.tif 000003
【図２】
2021522761.tif 000004
【図３】
2021522761.tif 000005
【図４】
2021522761.tif 000006
【図５】
2021522761.tif 000007
【図６】
2021522761.tif 000008
【図７】
2021522761.tif 000009
【図８】
2021522761.tif 000010
【国際調査報告】
2021522761.tif 000011
2021522761.tif 000012